(57)【要約】【課題】大地震などによる長期間にわたる避難所生活において、快適で清潔な寝具として利用でき、プライバシー面および就寝中の貴重品の保管においても安心感が得られる寝袋が緊急に求められている。【解決手段】避難所生活においては、寝袋の側面のファスナーなどを開き、着脱可能なシートを広げることにより寝袋の内容積を大きくすることができ、いわゆる「大の字」になって寝ることや、寝袋の中で着替えができるものとした。寒冷な時期・場所においてはファスナーを閉じ通常の寝袋として利用でき、高温多湿な時期・場所においてはシートを寝袋の上掛け部の下を通すことにより寝袋内部の通気性を高め、肌寒い時期・場所においてはシートを寝袋の上掛け部の上を通すことにより寝袋内部の保温性を高めることができる。寝袋の下敷き部分に、寝袋の端を支軸とする回転可能なポケットを取付けることにより、就寝中の貴重品保管という機能も有するものである。【選択図】    図１
2006297027.tif 000002
【特許請求の範囲】
【請求項１】
通常の寝袋として利用できるとともに、災害時の長期間の避難所生活においても寝袋を伸展させることなどにより、快適で清潔な寝具としての利用を可能にしたことを特徴とする寝袋である。
【請求項２】
請求項１における寝袋は、両側面および足先部分の側面をファスナー等により開閉することができ、このファスナー等を開き、着脱可能なシートにより寝袋の内容積を広げることにより、いわゆる「大の字」になって寝ることができることを特徴とする寝袋であり、また寝袋の中での着替えも容易にしたことを特徴とする寝袋である。
【請求項３】
請求項１における寝袋は、側面の開閉ファスナー等の部分に、着脱可能な２枚のシートを、シートの両端を寝袋の対角のファスナー等に接合することにより、１枚のシートは寝具の敷布として利用し、もう一枚のシートは寝具の掛布カバーとして利用できることを特徴とし、また２枚のシートは余裕を持たせるサイズとすることにより、寝袋側面のファスナー等を開いた状態である拡張した際には、いわゆる「大の字」になって寝ることも、また寝袋内部で着替えることも容易にしたことを特徴とする寝袋である。
【請求項４】
請求項１における寝袋は、寝袋側面の開閉ファスナー等の部分に、着脱可能な側面に開閉ファスナー等をつけた一枚の袋状のシートを接合することができ、またこの袋状のシートのサイズに余裕を持たせることにより、寝袋側面のファスナー等を開いた状態である拡張した際には、いわゆる「大の字」になって寝ることも、また寝袋内部で着替えることも容易にしたことを特徴とする寝袋である。
【請求項５】
請求項３における寝袋は、寒冷な時期・場所においては寝袋の側面を閉ることにより通常の防寒用の寝袋として利用でき、気温の比較的高い時期・場所においては掛布カバーとして利用できるシートは、寝袋の上掛け部の下を経由して寝袋の側面の開閉ファスナーなどに接合させることにより、寝袋内部の通気性を高めることができ、気温の比較的低い時期・場所においては掛布カバーとして利用できるシートは、寝袋の上掛け部の上を経由して寝袋の側面の開閉ファスナーなどに接合させることにより、寝袋内部の保温性を高めることができることを特徴とする寝袋である。
例示したこれらの様々なフレキシブルな使用方法を可能にすることにより、季節・気温・室温など通常考えられる環境に対応できることを特徴とする寝袋である。
【請求項６】
請求項２における寝袋は、両側面および足先部分の側面がファスナー等により開閉することができ、このファスナー等は、例えばＴ字型の形状とし、２枚のシートと接合できることを可能にしたことを特徴とする寝袋である。Ｔ字型ファスナーの一端の部分に接合したシートは、寝袋の上掛けに沿って寝袋の側面を経由し寝袋の下敷きのファスナー等に接合し、もう一端の部分に接合したシートは、寝袋の側面を経由し寝袋の下敷きに沿って下敷きの端のファスナー等に接合する。つまり、寝袋の上掛け部分と下敷き部分のそれぞれの両端に、例えばＴ字型の形状のファスナー等を取り付けることにより、２枚のシートを簡便に着脱可能としたことを特徴とする寝袋である。
【請求項７】
請求項２および請求項４におけるシートは、着脱が可能なものとすることにより洗濯を容易にし、また裏返しでの利用や、左右を逆にすること等により、例えば災害時の避難所生活など長期間の使用を余儀なくされる場合であっても、快適で清潔感をもって利用できることを特徴とする寝袋である。
【請求項８】
請求項１における寝袋は、寝袋の下敷き部分に寝袋の一端を支軸とし回転可能なポケットを取り付け、例えば貴重品を入れた場合には、寝袋の下敷き部分に位置するポケットとして安心して就寝できるものとし、それほど貴重ではないものについては、ポケットを回転させ下敷きの外側に位置するポケットとすることができ、就寝中の貴重品保管という機能も有することを特徴とする寝袋である。
【発明の詳細な説明】
【技術分野】
【０００１】この発明は、通常の寝袋としてキャンプなどで利用できるとともに、災害時の長期にわたる避難所生活などにおいて快適で清潔な寝具として利用することができ、またプライバシーの確保および貴重品の保管にも配慮した寝袋に関する。
【背景技術】
【０００２】従来の寝袋はキャンプなど数日間の利用が通常の用途として考えられているため、災害時の避難所生活など長期間にわたり利用せざるを得ない場合、あるいは寝袋に不慣れな人間にとっては、身体の節々に痛みや、こりを生じ快適な寝具とは言い難いものであった。
【発明の開示】
【発明が解決しようとする課題】
【０００３】大地震などによる長期間にわたる避難所生活において、熟睡のできる快適で清潔な寝具として利用でき、またプライバシー面および貴重金の保管においても安心感の与える寝具としても利用できる寝袋が緊急に求められている。また寒冷な時期、高温多湿な時期など様々な環境においても、簡便かつフレキシブルな利用方法により対応が可能な寝袋とすること。
【課題を解決するための手段】
【０００４】本発明による寝袋は、両側面および足先部分の側面にファスナー等により開閉することができ、このファスナー等を開き、着脱可能なシートを広げることにより、いわゆる「大の字」になって寝ることができ、また寝袋の中での着替えも容易にした。【０００５】請求項３に係る発明の寝袋は、側面の開閉ファスナー等の部分に、着脱可能な２枚のシートを接合することにより、１枚のシートは寝具の敷布として利用し、もう一枚のシートは寝具の掛布カバーとして利用できることを特徴とし、また２枚のシートは余裕を持たせるサイズとすることにより、寝袋側面のファスナー等を開いた状態である拡張した際には、いわゆる「大の字」になって寝ることも、また寝袋内部で着替えることも容易にしたことを特徴とする寝袋である。【０００６】請求項４に係る発明の寝袋は、側面の開閉ファスナー等の部分に、着脱可能な側面に開閉ファスナー等をつけた一枚の袋状のシートを接合することができ、またこの袋状のシートのサイズに余裕を持たせることにより、寝袋側面のファスナー等を開いた状態である拡張した際には、いわゆる「大の字」になって寝ることも、また寝袋内部で着替えることも容易にしたことを特徴とする寝袋である。【０００７】請求項５に係る発明の寝袋は、寒冷な時期・場所においては寝袋の側面を閉ることにより通常の防寒用の寝袋として利用でき、気温の比較的高い時期・場所においては掛布カバーとして利用できるシートは、寝袋の上掛け部の下を経由して寝袋の側面の開閉ファスナーなどに接合させることにより、寝袋内部の通気性を高めることができ、気温の比較的低い時期・場所においては掛布カバーとして利用できるシートは、寝袋の上掛け部の上を経由して寝袋の側面の開閉ファスナーなどに接合させることにより、寝袋内部の保温性を高めることができることを特徴とする寝袋である。
これらの例示した様々なフレキシブルな使用方法を可能にすることにより、季節・気温・室温など通常考えられる状況に対応できることを特徴とする寝袋である。【０００８】請求項６においては、寝袋とシートとの接合方法について例示した。つまり、寝袋の側面の両端には、それぞれに２枚のシートを接合するために、例えばＴ字型の形状のファスナー等とすることである。Ｔ字型の形状のファスナーの一端の部分に接合したシートは、寝袋の上掛けに沿って寝袋の側面を経由し、寝袋の下敷きのファスナー等に接合し、Ｔ字型の形状のもう一端の部分に接合したシートは、寝袋の側面を経由し寝袋の下敷きに沿って下敷きの端のファスナー等に接合する。つまり寝袋の上掛け部分と下敷き部分のそれぞれの両端に、例えばＴ字型の形状のファスナー等をとりつけることにより、２枚のシートを簡便に着脱可能とした。【０００９】請求項８に係る発明の寝袋は、下敷き部分に寝袋の一端を支軸として回転可能なポケットを取り付け、貴重品を保管し就寝する場合には、寝袋の下敷き部分に位置するポケットとし、それほど貴重でないものについては、ポケットを回転させ下敷きの外側に位置するポケットとすることができるものである。
【発明の効果】
【００１０】本発明は、以上の説明の通り、地震あるいは洪水などの自然災害における長期にわたる避難所生活においても快適で清潔な寝具としての寝袋の利用に効果が期待できるものである。
本発明は、寝袋に取り付けるシートの取り付け方法を変えることにより、寒冷な時期・場所から蒸し暑い時期・場所にいたるまで様々な状況下においても快適で清潔な寝袋の利用を可能にすることに大きな効果が得られるものである。またプライバシーの保護、就寝中の貴重品の保管においても効果を有するものである。
【発明を実施するための最良の形態】
【００１１】本発明の実施するための最良の形態は、寝袋の側面にファスナー等により開閉できるものとし、このファスナー等に、着脱可能な２枚のシートを接合することにより、１枚のシートは寝具の敷布として利用し、もう一枚のシートは寝具の掛布カバーとして利用できることとし、これらの２枚のシートにより袋状を形成することを特徴とし、また２枚のシートは余裕を持たせるサイズとすることにより、寝袋側面のファスナー等を開いた状態である拡張した際には、いわゆる「大の字」になって寝ることも、寝袋内部で着替えることも容易にした。
【産業上の利用可能性】
【００１２】日本のみならず世界各地で大地震や大洪水などの災害が多発しており、これに伴い長期間にわたる避難所生活を余儀なくされている。本発明による寝袋を各家庭、自治体、政府など、あるいは企業、団体などが常備することにより極めて有効な災害対策、大災害に対する備えとなるものである。
また本発明による寝袋は、災害時だけでなく日常生活においても清潔で快適な寝具として利用ができるものである。
【図面の簡単な説明】
【００１３】
【図１】本発明の請求項３による災害時の避難所生活においても快適な寝具として利用できる寝袋の概略図である。
【図２】本発明の請求項３による災害時の避難所生活においても快適な寝具として利用できる寝袋の断面図である。
【図１】
2006297027.tif 000003
【図２】
2006297027.tif 000004